(57)【要約】【課題】病変領域の検出精度が十分ではない場合であっても、医師等が患者に対して適確な診断を行うための情報を提供するための新たな技術を提供する。【解決手段】眼科情報処理装置は、解析部と、記憶部と、領域編集部と、表示制御部と、を含む。解析部は、被検眼に光を投射することにより光学的に収集された被検眼のデータを解析して被検眼における病変領域を特定する。記憶部は、被検眼の画像データを記憶する。領域編集部は、操作部に対する操作内容に対応した操作情報に基づいて病変領域を変更することにより変更領域を特定する。表示制御部は、記憶部に記憶された画像データに基づいて被検眼の画像を表示手段に表示させ、且つ被検眼の画像における変更領域に対応する領域を識別可能に表示させる。【選択図】図３
2019092921.tif 000002
【特許請求の範囲】
【請求項１】
被検眼に光を投射することにより光学的に収集された被検眼のデータを解析して前記被検眼における病変領域を特定する解析部と、
前記被検眼の画像データを記憶する記憶部と、
操作部に対する操作内容に対応した操作情報に基づいて前記病変領域を変更することにより変更領域を特定する領域編集部と、
前記記憶部に記憶された前記画像データに基づいて前記被検眼の画像を表示手段に表示させ、且つ前記被検眼の画像における前記変更領域に対応する領域を識別可能に表示させる表示制御部と、
を含む眼科情報処理装置。
【請求項２】
前記領域編集部は、前記操作情報に基づいて前記病変領域の形状を変更することにより前記変更領域を特定する
ことを特徴とする請求項１に記載の眼科情報処理装置。
【請求項３】
前記領域編集部は、前記病変領域に対し前記操作情報に基づいて指定された領域を追加することにより前記変更領域を特定する
ことを特徴とする請求項１又は請求項２に記載の眼科情報処理装置。
【請求項４】
前記領域編集部は、前記病変領域に対し前記操作情報に基づいて指定された領域を削除することにより前記変更領域を特定する
ことを特徴とする請求項１〜請求項３のいずれか一項に記載の眼科情報処理装置。
【請求項５】
前記解析部は、前記領域編集部により変更された前記変更領域に対し、解析条件が変更された再解析を行うことにより前記被検眼における病変領域を新たに特定し、
前記表示制御部は、前記解析部による前記再解析により前記新たに特定された病変領域に対応する領域を識別可能に前記表示手段に表示させる
ことを特徴とする請求項１〜請求項４のいずれか一項に記載の眼科情報処理装置。
【請求項６】
前記解析部は、第１解析条件下で前記病変領域を特定し、且つ前記第１解析条件と異なる第２解析条件下で前記変更領域を解析することにより新たな病変領域を特定する
ことを特徴とする請求項５に記載の眼科情報処理装置。
【請求項７】
前記被検眼のデータは、前記被検眼の眼底のデータであり、
前記解析部は、
前記データに基づいてＡスキャン方向の複数の層領域を特定するセグメンテーション処理部と、
前記セグメンテーション処理部により特定されたブルッフ膜より強膜側の層領域のＡスキャン方向の画素値の積算値と、前記ブルッフ膜より角膜側の層領域のＡスキャン方向の画素値の積算値との比の分布情報を生成する分布情報生成部と、
を含み、
前記分布情報に基づいて前記病変領域を特定する
ことを特徴とする請求項５又は請求項６に記載の眼科情報処理装置。
【請求項８】
前記被検眼の眼底画像と前記分布情報に基づいて特定された前記変更領域を表す画像との位置合わせを行う位置合わせ処理部を含み、
前記表示制御部は、前記位置合わせ処理部により位置合わせが行われた前記変更領域を表す画像を前記眼底画像にオーバーレイ表示させる
ことを特徴とする請求項７に記載の眼科情報処理装置。
【請求項９】
光コヒーレンストモグラフィを用いて前記被検眼をスキャンすることにより前記データを収集するデータ収集部と、
前記表示手段と、
請求項１〜請求項８のいずれか一項に記載の眼科情報処理装置と、
を含む眼科システム。
【請求項１０】
被検眼に光を投射することにより光学的に収集された被検眼のデータを解析して前記被検眼における病変領域を特定する解析ステップと、
操作部に対する操作内容に対応した操作情報に基づいて前記病変領域を変更することにより変更領域を特定する領域編集ステップと、
前記被検眼の画像データに基づいて前記被検眼の画像を表示手段に表示させ、且つ前記被検眼の画像における前記変更領域に対応する領域を識別可能に表示させる表示ステップと、
を含む眼科情報処理方法。
【請求項１１】
前記領域編集ステップは、前記操作情報に基づいて前記病変領域の形状を変更することにより前記変更領域を特定する
ことを特徴とする請求項１０に記載の眼科情報処理方法。
【請求項１２】
前記領域編集ステップは、前記病変領域に対し前記操作情報に基づいて指定された領域を追加することにより前記変更領域を特定する
ことを特徴とする請求項１０又は請求項１１に記載の眼科情報処理方法。
【請求項１３】
前記領域編集ステップは、前記病変領域に対し前記操作情報に基づいて指定された領域を削除することにより前記変更領域を特定する
ことを特徴とする請求項１０〜請求項１２のいずれか一項に記載の眼科情報処理方法。
【請求項１４】
前記解析ステップは、前記領域編集ステップにおいて変更された前記変更領域に対し、解析条件が変更された再解析を行うことにより前記被検眼における病変領域を新たに特定し、
前記表示ステップは、前記解析ステップにおける前記再解析により前記新たに特定された病変領域に対応する領域を識別可能に前記表示手段に表示させる
ことを特徴とする請求項１０〜請求項１３のいずれか一項に記載の眼科情報処理方法。
【請求項１５】
コンピュータに、請求項１０〜請求項１４のいずれか一項に記載の眼科情報処理方法の各ステップを実行させることを特徴とするプログラム。
【発明の詳細な説明】
【技術分野】
【０００１】
本発明は、眼科情報処理装置、眼科システム、眼科情報処理方法、及びプログラムに関する。
【背景技術】
【０００２】
視覚障害の原因疾患の１つに、加齢黄斑変性（Ａｇｅ−ｒｅｌａｔｅｄ  Ｍａｃｕｌａｒ  Ｄｅｇｅｎｅｒａｔｉｏｎ：ＡＭＤ）がある。加齢黄斑変性は、加齢により直接的に又は間接的に黄斑部が障害される疾患である。加齢黄斑変性は、滲出型加齢黄斑変性（ｅｘｕｄａｔｉｖｅ  ＡＭＤ）と萎縮型加齢黄斑変性（ａｔｒｏｐｈｉｃ  ＡＭＤ）とに分類される。滲出型加齢黄斑変性は、脈絡膜から脈絡膜新生血管が網膜色素上皮層（Ｒｅｔｉｎａｌ  Ｐｉｇｍｅｎｔ  Ｅｐｉｔｈｅｌｉｕｍ：以下、ＲＰＥ）の下層に侵入したり網膜とＲＰＥとの間に侵入したりすることにより網膜が障害される疾患である。萎縮型加齢黄斑変性は、ＲＰＥが徐々に萎縮することで網膜が障害され、視力が徐々に低下する疾患である。
【０００３】
滲出型加齢黄斑変性に対する有効な治療方法として、光線力学的療法（Ｐｈｏｔｏ  Ｄｙｎａｍｉｃ  Ｔｈｅｒａｐｙ：ＰＤＴ）、薬物療法、レーザー凝固などが知られている。これに対して、萎縮型加齢黄斑変性に対する有効な治療方法は、現在のところ十分に確立されていない。従って、萎縮型加齢黄斑変性の状態を把握することは極めて重要である。
【０００４】
萎縮型加齢黄斑変性には、中心窩を中心とする所定の領域内にいわゆる地図状萎縮（Ｇｅｏｇｒａｐｈｉｃ  Ａｔｒｏｐｈｙ：ＧＡ）が見られる。地図状萎縮は、眼底画像、フルオレセイン蛍光眼底造影画像、眼底自発蛍光検査画像などから特定されたり、光コヒーレンストモグラフィを用いて取得された網膜の断層像から特定されたりする（例えば、特許文献１〜特許文献３）。特定された地図状萎縮を観察することで、萎縮型加齢黄斑変性の状態を把握することができる（例えば、特許文献４）。
【先行技術文献】
【特許文献】
【０００５】
【特許文献１】米国特許出願公開第２０１５／０２０１８２９号明細書
【特許文献２】特開２０１５−１３６６２６号公報
【特許文献３】特開２０１６−１０７１４８号公報
【特許文献４】特表２０１４−５０５５５２号公報
【発明の概要】
【発明が解決しようとする課題】
【０００６】
萎縮型加齢黄斑変性の状態の把握には、地図状萎縮を伴う領域（地図状萎縮領域）の形態（形状、サイズ）や分布を観察することが有効である。しかしながら、従来の技術では、萎縮領域などの病変領域の検出精度が十分ではなく、医師等が患者に対して適確な診断を行うことが困難な場合があった。
【０００７】
本発明は、このような事情を鑑みてなされたものであり、その目的は、病変領域の検出精度が十分ではない場合であっても、医師等が患者に対して適確な診断を行うための情報を提供するための新たな技術を提供することにある。
【課題を解決するための手段】
【０００８】
いくつかの実施形態の第１態様は、被検眼に光を投射することにより光学的に収集された被検眼のデータを解析して前記被検眼における病変領域を特定する解析部と、前記被検眼の画像データを記憶する記憶部と、操作部に対する操作内容に対応した操作情報に基づいて前記病変領域を変更することにより変更領域を特定する領域編集部と、前記記憶部に記憶された前記画像データに基づいて前記被検眼の画像を表示手段に表示させ、且つ前記被検眼の画像における前記変更領域に対応する領域を識別可能に表示させる表示制御部と、を含む眼科情報処理装置である。
【０００９】
いくつかの実施形態の第２態様では、第１態様において、前記領域編集部は、前記操作情報に基づいて前記病変領域の形状を変更することにより前記変更領域を特定する。
【００１０】
いくつかの実施形態の第３態様では、第１態様又は第２態様において、前記領域編集部は、前記病変領域に対し前記操作情報に基づいて指定された領域を追加することにより前記変更領域を特定する。
【００１１】
いくつかの実施形態の第４態様では、第１態様〜第３態様のいずれかにおいて、前記領域編集部は、前記病変領域に対し前記操作情報に基づいて指定された領域を削除することにより前記変更領域を特定する。
【００１２】
いくつかの実施形態の第５態様では、第１態様〜第４態様のいずれかにおいて、前記解析部は、前記領域編集部により変更された前記変更領域に対し、解析条件が変更された再解析を行うことにより前記被検眼における病変領域を新たに特定し、前記表示制御部は、前記解析部による前記再解析により前記新たに特定された病変領域に対応する領域を識別可能に前記表示手段に表示させる。
【００１３】
いくつかの実施形態の第６態様では、第５態様において、前記解析部は、第１解析条件下で前記病変領域を特定し、且つ前記第１解析条件と異なる第２解析条件下で前記変更領域を解析することにより新たな病変領域を特定する。
【００１４】
いくつかの実施形態の第７態様では、第５態様又は第６態様において、前記被検眼のデータは、前記被検眼の眼底のデータであり、前記解析部は、前記データに基づいてＡスキャン方向の複数の層領域を特定するセグメンテーション処理部と、前記セグメンテーション処理部により特定されたブルッフ膜より強膜側の層領域のＡスキャン方向の画素値の積算値と、前記ブルッフ膜より角膜側の層領域のＡスキャン方向の画素値の積算値との比の分布情報を生成する分布情報生成部と、を含み、前記分布情報に基づいて前記病変領域を特定する。
【００１５】
いくつかの実施形態の第８態様は、第７態様において、前記被検眼の眼底画像と前記分布情報に基づいて特定された前記変更領域を表す画像との位置合わせを行う位置合わせ処理部を含み、前記表示制御部は、前記位置合わせ処理部により位置合わせが行われた前記変更領域を表す画像を前記眼底画像にオーバーレイ表示させる。
【００１６】
いくつかの実施形態の第９態様は、光コヒーレンストモグラフィを用いて前記被検眼をスキャンすることにより前記データを収集するデータ収集部と、前記表示手段と、請求項１〜請求項８のいずれか一項に記載の眼科情報処理装置と、を含む眼科システムである。
【００１７】
いくつかの実施形態の第１０態様は、被検眼に光を投射することにより光学的に収集された被検眼のデータを解析して前記被検眼における病変領域を特定する解析ステップと、操作部に対する操作内容に対応した操作情報に基づいて前記病変領域を変更することにより変更領域を特定する領域編集ステップと、前記被検眼の画像データに基づいて前記被検眼の画像を表示手段に表示させ、且つ前記被検眼の画像における前記変更領域に対応する領域を識別可能に表示させる表示ステップと、を含む眼科情報処理方法である。
【００１８】
いくつかの実施形態の第１１態様では、第１０態様において、前記領域編集ステップは、前記操作情報に基づいて前記病変領域の形状を変更することにより前記変更領域を特定する。
【００１９】
いくつかの実施形態の第１２態様では、第１０態様又は第１１態様において、前記領域編集ステップは、前記病変領域に対し前記操作情報に基づいて指定された領域を追加することにより前記変更領域を特定する。
【００２０】
いくつかの実施形態の第１３態様では、第１０態様〜第１２態様のいずれかにおいて、前記領域編集ステップは、前記病変領域に対し前記操作情報に基づいて指定された領域を削除することにより前記変更領域を特定する。
【００２１】
いくつかの実施形態の第１４態様では、第１０〜第１３態様のいずれかにおいて、前記解析ステップは、前記領域編集ステップにおいて変更された前記変更領域に対し、解析条件が変更された再解析を行うことにより前記被検眼における病変領域を新たに特定し、前記表示ステップは、前記解析ステップにおける前記再解析により前記新たに特定された病変領域に対応する領域を識別可能に前記表示手段に表示させる。
【００２２】
いくつかの実施形態の第１５態様は、コンピュータに、第１０態様〜第１４態様のいずれかに記載の眼科情報処理方法の各ステップを実行させるプログラムである。
【発明の効果】
【００２３】
本発明に係るいくつかの実施形態によれば、病変領域の検出精度が十分ではない場合であっても、医師等が患者に対して適確な診断を行うための情報を提供するための新たな技術を提供することができるようになる。
【図面の簡単な説明】
【００２４】
【図１】実施形態に係る眼科システムの構成の一例を表す概略図である。
【図２】実施形態に係る眼科装置の構成の一例を表す概略図である。
【図３】実施形態に係る眼科情報処理装置の構成の一例を表す概略図である。
【図４】実施形態に係る眼科情報処理装置の構成の一例を表す概略図である。
【図５】実施形態に係る眼科情報処理装置の動作フローの一例を表す概略図である。
【図６】実施形態に係る眼科情報処理装置の動作を説明するための概略図である。
【図７】実施形態に係る眼科情報処理装置の動作を説明するための概略図である。
【図８】実施形態に係る眼科情報処理装置の動作フローの一例を表す概略図である。
【図９】実施形態に係る眼科情報処理装置の動作を説明するための概略図である。
【図１０】実施形態に係る眼科情報処理装置の動作を説明するための概略図である。
【図１１Ａ】実施形態に係る眼科情報処理装置の動作を説明するための概略図である。
【図１１Ｂ】実施形態に係る眼科情報処理装置の動作を説明するための概略図である。
【図１２】実施形態に係る眼科情報処理装置の動作を説明するための概略図である。
【図１３】実施形態に係る眼科情報処理装置の動作を説明するための概略図である。
【図１４】実施形態に係る眼科情報処理装置の動作を説明するための概略図である。
【図１５】実施形態に係る眼科情報処理装置の動作を説明するための概略図である。
【図１６】実施形態に係る眼科情報処理装置の動作を説明するための概略図である。
【図１７】実施形態の変形例に係る眼科情報処理装置の構成の一例を表す概略図である。
【図１８】実施形態の変形例に係る眼科情報処理装置の動作を説明するための概略図である。
【図１９】実施形態の変形例に係る眼科情報処理装置の動作を説明するための概略図である。
【図２０】実施形態の変形例に係る眼科情報処理装置の動作フローの一例を表す概略図である。
【図２１】実施形態の変形例に係る眼科装置の構成の一例を表す概略図である。
【発明を実施するための形態】
【００２５】
この発明のいくつかの実施形態に係る眼科情報処理装置、眼科システム、眼科情報処理方法、及びプログラムの例について、図面を参照しながら詳細に説明する。なお、この明細書で引用する文献に記載された事項や任意の公知技術を実施形態に援用することができる。
【００２６】
実施形態に係る眼科システムは、眼科情報処理装置を含む。実施形態に係る眼科情報処理方法は、眼科情報処理装置により実行される。実施形態に係る眼科情報処理方法は、プログラムにしたがってコンピュータにより実行可能である。
【００２７】
実施形態に係る眼科情報処理装置は、眼科装置により光学的に取得された被検眼のデータに対して所定の解析処理や所定の表示処理を施すことが可能である。解析処理には、被検眼の病変領域を特定する処理が含まれる。表示処理には、特定された病変領域を識別表示するための処理が含まれる。以下では、病変領域として、主に、眼底における地図状萎縮領域を特定する場合について説明するが、実施形態はこれに限定されるものではない。
【００２８】
眼科装置は、被検眼に光を投射することにより光学的に被検眼のデータを収集する。以下では、眼科装置は、光コヒーレンストモグラフィ（Ｏｐｔｉｃａｌ  Ｃｏｈｅｒｅｎｃｅ  Ｔｏｍｏｇｒａｐｈｙ：ＯＣＴ）により被検眼のデータを収集する場合について説明するが、実施形態に係る眼科装置はこれに限定されるものではない。いくつかの実施形態に係る眼科装置は、被検眼の眼底の正面画像を取得する機能を備える。被検眼の眼底の正面画像を取得する機能を備えた眼科装置には、ＯＣＴ装置、眼底カメラ、走査型レーザー検眼鏡、スリットランプ顕微鏡、手術用顕微鏡などがある。いくつかの実施形態に係る眼科装置は、被検眼の光学的な特性を測定する機能を備える。被検眼の光学的な特性を測定する機能を備えた眼科装置には、レフラクトメーター、ケラトメーター、眼圧計、ウェーブフロントアナライザー、スペキュラーマイクロスコープ、視野計などがある。いくつかの実施形態に係る眼科装置は、レーザー治療に用いられるレーザー治療装置の機能を備える。
【００２９】
［眼科システム］
図１に、実施形態に係る眼科システムの構成例のブロック図を示す。実施形態に係る眼科システム１は、眼科装置１０と、眼科情報処理装置（眼科画像処理装置、眼科解析装置）１００と、操作装置１８０と、表示装置１９０とを含む。
【００３０】
眼科装置１０は、被検眼に光を投射することにより光学的に被検眼のデータを収集する。眼科装置１０は、被検眼の眼底をスキャンすることにより被検眼の眼底のデータを光学的に収集する。例えば、眼科装置１０は、ＯＣＴを用いて被検眼の眼底の３次元のＯＣＴデータを取得する。眼科装置１０は、取得された被検眼のデータから被検眼の眼底の画像を取得することが可能である。眼底の画像には、眼底の断層像及び正面画像が含まれる。眼底の断層像には、Ｂスキャン画像などがある。眼底の正面画像には、Ｃスキャン画像、シャドウグラム、又はプロジェクション画像などがある。眼科装置１０は、取得された被検眼のデータを眼科情報処理装置１００に送信する。
【００３１】
いくつかの実施形態では、眼科装置１０と眼科情報処理装置１００とは、データ通信ネットワークを介して接続される。いくつかの実施形態に係る眼科情報処理装置１００は、データ通信ネットワークを介して選択的に接続された複数の眼科装置１０の１つからデータを受信する。
【００３２】
眼科情報処理装置１００は、取得された被検眼のデータを解析することにより地図状萎縮領域（萎縮領域）を特定し、眼底の正面画像や断層像における地図状萎縮領域を識別可能に表示装置１９０に表示させる。眼科情報処理装置１００は、ユーザによる後述の操作装置１８０に対する操作内容に基づいて、特定された地図状萎縮領域の変更処理を行うことが可能である。地図状萎縮領域の変更処理には、地図状萎縮領域の追加、地図状萎縮領域の一部又は全部の削除、特定された地図状萎縮領域の形状やサイズの変更などが含まれる。いくつかの実施形態では、ユーザは、フルオレセイン蛍光眼底造影画像などを見ながら操作装置１８０を操作することにより地図状萎縮領域を変更する。眼科情報処理装置１００は、特定された地図状萎縮領域に対して上記の変更処理が施された領域を新たな地図状萎縮領域として、以下のような処理を行うことが可能である。
【００３３】
眼科情報処理装置１００は、取得された被検眼のデータから形成された眼底の正面画像における地図状萎縮領域に相当する領域をハイライト表示させる。いくつかの実施形態に係る眼科情報処理装置１００は、取得された被検眼のデータから眼底の正面画像を形成し、形成された正面画像と特定された地図状萎縮領域との位置合わせを行い、位置合わせが行われた地図状萎縮領域を表す画像を眼底の正面画像にオーバーレイ表示させる。
【００３４】
眼科情報処理装置１００は、取得された被検眼のデータから形成された眼底の断層像における地図状萎縮領域に相当する領域をハイライト表示させる。いくつかの実施形態に係る眼科情報処理装置１００は、取得された被検眼のデータから眼底の断層像を形成し、形成された断層像と特定された地図状萎縮領域との位置合わせを行い、位置合わせが行われた地図状萎縮領域を表す画像を眼底の断層像にオーバーレイ表示させる。
【００３５】
操作装置１８０及び表示装置１９０は、ユーザインターフェイス部として情報の表示、情報の入力、操作指示の入力など、眼科情報処理装置１００とそのユーザとの間で情報をやりとりするための機能を提供する。操作装置１８０は、レバー、ボタン、キー、ポインティングデバイス等の操作デバイスを含む。いくつかの実施形態に係る操作装置１８０は、音で情報を入力するためのマイクロフォンを含む。表示装置１９０は、フラットパネルディスプレイ等の表示デバイスを含む。いくつかの実施形態では、操作装置１８０及び表示装置１９０の機能は、タッチパネルディスプレイのような入力機能を有するデバイスと表示機能を有するデバイスとが一体化されたデバイスにより実現される。いくつかの実施形態では、操作装置１８０及び表示装置１９０は、情報の入出力を行うためのグラフィカルユーザインターフェイス（ＧＵＩ）を含む。
【００３６】
［眼科装置］
図２に、実施形態に係る眼科装置１０の構成例のブロック図を示す。
【００３７】
眼科装置１０には、被検眼のＯＣＴデータを取得するための光学系が設けられている。眼科装置１０は、スウェプトソースＯＣＴを実行する機能を備えているが、実施形態はこれに限定されない。例えば、ＯＣＴの種別はスウェプトソースＯＣＴには限定されず、スペクトラルドメインＯＣＴ等であってもよい。スウェプトソースＯＣＴは、波長掃引型（波長走査型）光源からの光を測定光と参照光とに分割し、被測定物体を経由した測定光の戻り光を参照光と干渉させて干渉光を生成し、この干渉光をバランスドフォトダイオード等で検出し、波長の掃引及び測定光のスキャンに応じて収集された検出データにフーリエ変換等を施して画像を形成する手法である。スペクトラルドメインＯＣＴは、低コヒーレンス光源からの光を測定光と参照光とに分割し、被測定物体を経由した測定光の戻り光を参照光と干渉させて干渉光を生成し、この干渉光のスペクトル分布を分光器で検出し、検出されたスペクトル分布にフーリエ変換等を施して画像を形成する手法である。
【００３８】
眼科装置１０は、制御部１１と、データ収集部１２と、画像形成部１３と、通信部１４とを含む。
【００３９】
制御部１１は、眼科装置１０の各部を制御する。特に、制御部１１は、データ収集部１２、画像形成部１３、及び通信部１４を制御する。
【００４０】
データ収集部１２は、ＯＣＴを用いて被検眼をスキャンすることにより被検眼のデータ（３次元のＯＣＴデータ）を収集する。データ収集部１２は、干渉光学系１２Ａと、スキャン光学系１２Ｂとを含む。
【００４１】
干渉光学系１２Ａは、光源（波長掃引型光源）からの光を測定光と参照光とに分割し、被検眼を経由した測定光の戻り光を参照光路を経由した参照光と干渉させて干渉光を生成し、生成された干渉光を検出する。干渉光学系１２Ａは、ファイバーカプラと、バランスドフォトダイオード等の受光器とを少なくとも含む。ファイバーカプラは、光源からの光を測定光と参照光とに分割し、被検眼を経由した測定光の戻り光と参照光路を経由した参照光と干渉させて干渉光を生成する。受光器は、ファイバーカプラにより生成された干渉光を検出する。干渉光学系１２Ａは、光源を含んでよい。
【００４２】
スキャン光学系１２Ｂは、制御部１１からの制御を受け、干渉光学系１２Ａにより生成された測定光を偏向することにより被検眼の眼底における測定光の入射位置を変更する。スキャン光学系１２Ｂは、例えば、被検眼の瞳孔と光学的に略共役な位置に配置された光スキャナを含む。光スキャナは、例えば、測定光を水平方向にスキャンするガルバノミラーと、垂直方向にスキャンするガルバノミラーと、これらを独立に駆動する機構とを含んで構成される。それにより、測定光を眼底平面上の任意の方向にスキャンすることができる。
【００４３】
干渉光学系１２Ａによる干渉光の検出結果（検出信号）は、干渉光のスペクトルを示す干渉信号である。
【００４４】
画像形成部１３は、制御部１１からの制御を受け、データ収集部１２により収集された被検眼のデータに基づいて被検眼の眼底の断層像の画像データを形成する。この処理には、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼内における各測定光の経路）における反射強度プロファイルを画像化することにより形成された一群の画像データを含むデータセットである。画質を向上させるために、同じパターンでのスキャンを複数回繰り返して収集された複数のデータセットを重ね合わせる（加算平均する）ことができる。
【００４５】
画像形成部１３は、３次元のＯＣＴデータに各種のレンダリングを施すことで、Ｂスキャン画像、Ｃスキャン画像、プロジェクション画像、シャドウグラムなどを形成することができる。Ｂスキャン画像やＣスキャン画像のような任意断面の画像は、指定された断面上の画素（ピクセル、ボクセル）を３次元のＯＣＴデータから選択することにより形成される。プロジェクション画像は、３次元のＯＣＴデータを所定方向（Ｚ方向、深さ方向、Ａスキャン方向）に投影することによって形成される。シャドウグラムは、３次元のＯＣＴデータの一部（例えば特定層に相当する部分データ）を所定方向に投影することによって形成される。
【００４６】
いくつかの実施形態に係る眼科装置１０には、画像形成部１３により形成された画像に対して各種のデータ処理（画像処理）や解析処理を施すデータ処理部が設けられる。例えば、データ処理部は、画像の輝度補正や分散補正等の補正処理を実行する。データ処理部は、断層像の間の画素を補間する補間処理などの公知の画像処理を実行することにより、被検眼のボリュームデータ（ボクセルデータ）を形成することができる。ボリュームデータに基づく画像を表示させる場合、データ処理部は、このボリュームデータに対してレンダリング処理を施して、特定の視線方向から見たときの擬似的な３次元画像を形成する。
【００４７】
制御部１１及び画像形成部１３のそれぞれは、プロセッサを含む。プロセッサは、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を含む。画像形成部１３の機能は、画像形成プロセッサにより実現される。いくつかの実施形態では、制御部１１及び画像形成部１３の双方の機能が１つのプロセッサにより実現される。いくつかの実施形態では、眼科装置１０にデータ処理部が設けられている場合、データ処理部の機能もまたプロセッサにより実現される。
【００４８】
プロセッサは、例えば、記憶回路や記憶装置に格納されているプログラムを読み出し実行することで、実施形態に係る機能を実現する。記憶回路や記憶装置の少なくとも一部がプロセッサに含まれていてよい。また、記憶回路や記憶装置の少なくとも一部がプロセッサの外部に設けられていてよい。
【００４９】
記憶装置等は、各種のデータを記憶する。記憶装置等に記憶されるデータとしては、データ収集部１２により取得されたデータ（測定データ、撮影データ等）や、被検者及び被検眼に関する情報などがある。記憶装置等には、眼科装置１０の各部を動作させるための各種のコンピュータプログラムやデータが記憶されていてよい。
【００５０】
通信部１４は、制御部１１からの制御を受け、眼科情報処理装置１００との間で情報の送信又は受信を行うための通信インターフェース処理を実行する。
【００５１】
いくつかの実施形態に係る眼科装置１０は、画像形成部１３により形成された被検眼の画像データを眼科情報処理装置１００に送信する。
【００５２】
いくつかの実施形態に係る眼科装置１０には、被検眼の眼底の画像を取得するための眼底カメラ、走査型レーザー検眼鏡、スリットランプ顕微鏡が設けられる。いくつかの実施形態では、眼底カメラにより取得される眼底画像は、フルオレセイン蛍光眼底造影画像又は眼底自発蛍光検査画像である。
【００５３】
［眼科情報処理装置］
図３及び図４に、実施形態に係る眼科情報処理装置１００の構成例のブロック図を示す。図３は、眼科情報処理装置１００の機能ブロック図を表す。図４は、図３の解析部２００の機能ブロック図を表す。
【００５４】
実施形態に係る眼科情報処理装置１００は、眼科装置１０により取得された被検眼の眼底のデータを解析して眼底における地図状萎縮領域を特定する。眼科情報処理装置１００は、眼底の正面画像又は断層像において、特定された地図状萎縮領域を識別可能に表示装置１９０に表示させる。
【００５５】
眼科情報処理装置１００は、制御部１１０と、画像形成部１２０と、データ処理部１３０と、通信部１４０とを含む。
【００５６】
画像形成部１２０は、制御部１１０からの制御を受け、眼科装置１０により取得された３次元のＯＣＴデータからＢスキャン画像、Ｃスキャン画像、プロジェクション画像、シャドウグラムなどを形成する。画像形成部１２０は、画像形成部１３と同様に上記の画像を形成することが可能である。
【００５７】
データ処理部１３０は、画像形成部１２０により形成された画像に対して各種のデータ処理（画像処理）や解析処理を施す。例えば、データ処理部１３０は、画像の輝度補正や分散補正等の補正処理を実行する。データ処理部１３０は、断層像の間の画素を補間する補間処理などの公知の画像処理を実行することにより、被検眼のボリュームデータ（ボクセルデータ）を形成することができる。ボリュームデータに基づく画像を表示させる場合、データ処理部１３０は、このボリュームデータに対してレンダリング処理を施して、特定の視線方向から見たときの擬似的な３次元画像を形成する。
【００５８】
データ処理部１３０は、形成された被検眼の画像に対して所定のデータ処理を施す。データ処理部１３０は、解析部２００と、位置合わせ処理部２１０と、領域編集部２２０とを含む。
【００５９】
解析部２００は、画像形成部１２０により形成された被検眼の眼底の画像データ（又は眼科装置１０により取得された被検眼の眼底の画像データ）に対して所定の解析処理を施す。いくつかの実施形態に係る解析処理には、眼底における地図状萎縮領域の特定処理や、地図状萎縮領域の分布情報の生成処理や、地図状萎縮領域の形態情報の生成処理や、眼底における層厚の分布情報の生成処理などが含まれる。
【００６０】
解析部２００は、セグメンテーション処理部２０１と、領域特定部２０２と、分布情報生成部２０３と、形態情報生成部２０４と、層厚分布情報生成部２０５とを含む。
【００６１】
セグメンテーション処理部２０１は、眼科装置１０により取得された被検眼のデータに基づいてＡスキャン方向の複数の層領域を特定する。いくつかの実施形態に係るセグメンテーション処理部２０１は、３次元のＯＣＴデータを解析することにより、被検眼の複数の組織に相当する複数の部分データセットを特定する。セグメンテーション処理は、特定の組織や組織境界を特定するための画像処理である。例えば、セグメンテーション処理部２０１は、ＯＣＴデータに含まれる各Ａスキャン画像における画素値（輝度値）の勾配を求め、勾配が大きい位置を組織境界として特定する。なお、Ａスキャン画像は、眼底の深さ方向にのびる１次元画像データである。なお、眼底の深さ方向は、例えば、Ｚ方向、ＯＣＴ測定光の入射方向、軸方向、干渉光学系の光軸方向などとして定義される。
【００６２】
典型的な例において、セグメンテーション処理部２０１は、眼底（網膜、脈絡膜等）及び硝子体を表す３次元のＯＣＴデータを解析することにより、眼底の複数の層組織に相当する複数の部分データセットを特定する。各部分データセットは、層組織の境界によって画成される。部分データセットとして特定される層組織の例として、網膜を構成する層組織がある。網膜を構成する層組織には、内境界膜、神経繊維層、神経節細胞層、内網状層、内顆粒層、外網状層、外顆粒層、外境界膜、視細胞層、ＲＰＥがある。セグメンテーション処理部２０１は、ブルッフ膜、脈絡膜、強膜、硝子体等に相当する部分データセットを特定することができる。いくつかの実施形態に係るセグメンテーション処理部２０１は、病変部に相当する部分データセットを特定する。病変部の例として、剥離部、浮腫、出血、腫瘍、ドルーゼンなどがある。
【００６３】
いくつかの実施形態に係るセグメンテーション処理部２０１は、ＲＰＥに対して強膜側の所定のピクセル数分の層組織をブルッフ膜として特定し、当該層組織に相当する部分データセットをブルッフ膜の部分データセットとして取得する。
【００６４】
領域特定部２０２は、セグメンテーション処理部２０１により特定された複数の層組織の部分データセットを解析することにより、地図状萎縮領域を特定するための２つの層組織に相当する領域を特定する。いくつかの実施形態に係る領域特定部２０２は、ブルッフ膜に相当する領域より強膜側の層組織に対応する第１領域と、内境界膜に相当する領域からＲＰＥに相当する領域までの層組織に対応する第２領域とを特定する。いくつかの実施形態では、第２領域は、ブルッフ膜に相当する領域より角膜側の層組織に対応する領域である。
【００６５】
分布情報生成部２０３は、各Ａスキャンについて、領域特定部２０２により特定された第１領域及び第２領域の画素値に基づいてコントラスト比を求め、眼底平面（Ａスキャン方向に直交する平面）におけるコントラスト比の２次元の分布情報を生成する。いくつかの実施形態では、分布情報生成部２０３は、各Ａスキャンについて、領域特定部２０２により特定された第１領域の画素値の積算値と第２領域の画素値の積算値との比の分布情報を生成する。いくつかの実施形態に係る分布情報生成部２０３は、各Ａスキャンについて、第１領域のＡスキャン方向の画素値の積算値に対する第２領域のＡスキャン方向の画素値の積算値の比をコントラスト比として求め、求められたコントラスト比の２次元の分布情報を生成する。以下、コントラスト比の２次元の分布情報をコントラストマップと表記する。
【００６６】
解析部２００は、分布情報生成部２０３により生成されたコントラストマップにおいて、コントラスト比が大きい位置を地図状萎縮に起因して信号成分が減衰した位置として特定する。解析部２００は、特定された位置に基づいて地図状萎縮領域を特定する。例えば、解析部２００は、分布情報生成部２０３により生成されたコントラストマップにおいて、コントラスト比が所定の閾値以上である位置を含む領域を地図状萎縮領域として特定する。このような地図状萎縮領域を特定する手法に関連する技術が、米国特許出願公開第２０１５／０２０１８２９号明細書、特開２０１５−１３６６２６号公報、又は特開２０１６−１０７１４８号公報に開示されている。
【００６７】
形態情報生成部２０４は、特定された地図状萎縮領域の形態を表す形態情報を生成する。形態情報の例として、地図状萎縮領域の面積や外周囲長などがある。形態情報生成部２０４は、地図状萎縮領域が描出された画像に対して公知の手法を適用することにより地図状萎縮領域の面積や外周囲長を求めることが可能である。いくつかの実施形態に係る形態情報生成部２０４は、特定された地図状萎縮領域ごとに形態情報を生成する。いくつかの実施形態に係る形態情報生成部２０４は、特定された地図状萎縮領域ごとの形態パラメータ（面積、外周囲長）の合計値を形態情報として生成する。いくつかの実施形態では、形態情報は、特定された地図状萎縮領域の個数を含む。
【００６８】
層厚分布情報生成部２０５は、セグメンテーション処理部２０１により特定された複数の層組織の部分データセットを解析することにより、各層組織のＡスキャン方向の厚さを特定し、眼底平面における各層の層厚の２次元の分布情報を生成する。いくつかの実施形態に係る層厚分布情報生成部２０５は、操作装置１８０を用いて指定された１以上の層組織の層厚の２次元の分布情報（Ａスキャン方向に直交する平面の分布情報）を生成する。いくつかの実施形態に係る層厚分布情報生成部２０５は、内境界膜、神経線維層（ＮＦＬ）、神経節細胞層（ＧＣＬ）、内網状層（ＩＰＬ）、内顆粒層（ＩＮＬ）、外網状層（ＯＰＬ）、外顆粒層（ＯＮＬ）、外境界膜（ＥＬＭ）、ＲＰＥ、脈絡膜、強膜、脈絡膜−強膜境界面（ＣＳＩ）の少なくとも１つ、又は隣接する２以上の層の層厚の２次元の分布情報を生成する。
【００６９】
位置合わせ処理部２１０は、画像形成部１２０によって形成された眼底の正面画像と解析部２００によって特定された地図状萎縮領域を表す画像との位置合わせを行う。位置合わせ処理部２１０は、画像形成部１２０によって形成された眼底の断層像と解析部２００によって特定された地図状萎縮領域を表す画像との位置合わせを行う。
【００７０】
位置合わせ処理は、例えば、双方の画像から特徴部位を検出する処理と、双方の特徴部位を基準として双方の画像を位置合わせする処理とを含む。いくつかの実施形態では、位置合わせ処理は、眼底の正面画像又は断層像における地図状萎縮領域の位置情報を用いて正面画像又は断層像における地図状萎縮領域を表す画像の位置を特定する処理と、特定された地図状萎縮領域を表す画像を正面画像又は断層像に対して位置合わせする処理とを含む。位置合わせ処理部２１０は、画像の拡大、縮小、回転等を行うためのアフィン変換等の公知の処理により画像の位置合わせを行うことが可能である。
【００７１】
位置合わせ処理部２１０は、画像形成部１２０によって形成された眼底の断層像と解析部２００によって特定された地図状萎縮領域を表す画像との位置合わせを行う。
【００７２】
領域編集部２２０は、上記のように解析部２００によって特定された地図状萎縮領域の変更処理を行う。地図状萎縮領域の変更処理には、地図状萎縮領域の追加、地図状萎縮領域の一部又は全部の削除、特定された地図状萎縮領域の形状やサイズの変更などが含まれる。領域編集部２２０は、ユーザによる操作装置１８０に対する操作内容に対応した操作情報に基づいて地図状萎縮領域の変更処理を行う。いくつかの実施形態に係る領域編集部２２０は、制御部１１０からの制御内容に基づいて地図状萎縮領域の変更処理を行う。
【００７３】
領域編集部２２０は、操作装置１８０に対する操作内容に対応した操作情報に基づいて、解析部２００により特定された地図状萎縮領域を変更することにより変更領域を特定する。いくつかの実施形態では、領域編集部２２０は、解析部２００による解析処理により得られた地図状萎縮領域の位置や形状を特定するための領域特定情報を上記の操作情報に基づいて変更し、変更された領域特定情報を記憶部１１２に保存する。それにより、眼科情報処理装置１００は、被検眼の画像における変更領域に対応する領域を識別可能に表示させることができる。
【００７４】
領域編集部２２０は、解析部２００により特定された地図状萎縮領域の形状を操作装置１８０からの操作情報に基づいて変更することにより変更領域を特定することが可能である。それにより、医師等は、他の眼科装置から得られた情報を参考にしつつ、解析部２００により特定された地図状萎縮領域の形状を変更し、得られた変更領域から地図状萎縮領域の形態や分布を詳細に観察することができる。
【００７５】
領域編集部２２０は、解析部２００により特定された地図状萎縮領域に対し操作装置１８０からの操作情報に基づいて指定された領域を追加することにより変更領域を特定することが可能である。それにより、医師等は、他の眼科装置から得られた情報を参考にしつつ、解析部２００により特定された地図状萎縮領域を新たに追加し、得られた変更領域から地図状萎縮領域の形態や分布を詳細に観察することができる。
【００７６】
領域編集部２２０は、解析部２００により特定された地図状萎縮領域に対し操作装置１８０からの操作情報に基づいて指定された領域を削除することにより変更領域を特定することが可能である。それにより、医師等は、他の眼科装置から得られた情報を参考にしつつ、解析部２００により特定された地図状萎縮領域から所望の領域を削除し、得られた変更領域から地図状萎縮領域の形態や分布を詳細に観察することができる。
【００７７】
いくつかの実施形態に係る解析部２００は、領域編集部２２０により変更された変更領域に対し、変更前の地図状萎縮領域が特定されたときと異なる解析条件が適用され再解析を行うことにより被検眼における地図状萎縮領域を新たに特定する。眼科情報処理装置１００は、解析部２００による再解析により新たに特定された地図状萎縮領域に対応する領域を識別可能に表示装置１９０に表示させる。例えば、解析部２００は、第１解析条件下で特定された地図状萎縮領域に対して上記の変更処理を施すことにより得られた変更領域を、第１解析条件と異なる第２解析条件下で解析することにより、新たな地図状萎縮領域を特定する。いくつかの実施形態では、解析条件は、ユーザが操作装置１８０を操作することにより変更可能である。いくつかの実施形態では、第１解析条件下において、分布情報生成部２０３により生成されたコントラストマップに対して第１閾値を適用して地図状萎縮領域が特定される。また、第２解析条件下において、分布情報生成部２０３により生成されたコントラストマップに対して第１閾値と異なる第２閾値を適用して地図状萎縮領域が特定される。第２閾値は、第１閾値より低い値であってよい。例えば、制御部１１０は、操作装置１８０を用いて操作可能な操作オブジェクトを表示装置１９０に表示させ、分布情報生成部２０３は、操作オブジェクトに対する操作内容に対応した閾値を適用して地図状萎縮領域を特定してもよい。操作オブジェクトの一例として、変更可能なバーオブジェクトの位置が閾値に対応したスライドバーオブジェクトなどがある。
【００７８】
通信部１４０は、制御部１１０からの制御を受け、眼科情報処理装置１００の通信部１４との間で情報の送信又は受信を行うための通信インターフェース処理を実行する。
【００７９】
制御部１１０は、眼科情報処理装置１００の各部を制御する。特に、制御部１１０は、画像形成部１２０と、データ処理部１３０と、通信部１４０とを制御する。制御部１１０は、主制御部１１１と、記憶部１１２とを含む。主制御部１１１は、表示制御部１１１Ａを含む。
【００８０】
表示制御部１１１Ａは、各種の情報を表示装置１９０に表示させる。例えば、表示制御部１１１Ａは、画像形成部１２０により形成された被検眼の眼底画像（正面画像、断層像）や、データ処理部１３０によるデータ処理結果の画像を表示装置１９０に表示させる。データ処理部１３０によるデータ処理結果の画像には、解析部２００により特定された地図状萎縮領域を表す画像や、領域編集部２２０により変更された変更領域を表す画像などがある。特に、表示制御部１１１Ａは、被検眼の眼底画像を表示装置１９０に表示させ、且つ眼底画像における地図状萎縮領域（又は変更領域。以下、同様）に対応する領域を識別可能に表示させる。いくつかの実施形態に係る表示制御部１１１Ａは、被検眼の眼底画像を表示装置１９０に表示させ、且つ眼底画像における地図状萎縮領域に対応する領域をハイライト表示させる。例えば、表示制御部１１１Ａは、地図状萎縮領域又はその背景領域内の画素の輝度がそれ以外の領域の画素の輝度より高くなるように地図状萎縮領域又はその背景領域を表示させる。いくつかの実施形態に係る表示制御部１１１Ａは、位置合わせ処理部２１０により位置合わせが行われた地図状萎縮領域を表す画像を眼底画像にオーバーレイ表示させる。
【００８１】
また、表示制御部１１１Ａは、形態情報生成部２０４により生成された形態情報を表示装置１９０に表示させる。いくつかの実施形態に係る表示制御部１１１Ａは、形態情報生成部２０４により生成された形態情報を当該形態情報に対応する地図状萎縮領域に関連付けて表示装置１９０に表示させる。
【００８２】
制御部１１０は、操作装置１８０に対するユーザの操作内容に対応した操作指示信号に基づいて、眼科システム１の各部を制御する。
【００８３】
制御部１１０、画像形成部１２０、及びデータ処理部１３０のそれぞれは、プロセッサを含む。画像形成部１２０の機能は、画像形成プロセッサにより実現される。データ処理部１３０の機能は、データ処理プロセッサにより実現される。いくつかの実施形態では、制御部１１０、画像形成部１２０、及びデータ処理部１３０のうち少なくとも２つの機能が１つのプロセッサにより実現される。
【００８４】
記憶部１１２は、各種のデータを記憶する。記憶部１１２に記憶されるデータとしては、眼科装置１０により取得されたデータ（測定データ、撮影データ等）、画像形成部１２０により形成された画像データ、データ処理部１３０によるデータ処理結果、被検者及び被検眼に関する情報などがある。記憶部１１２には、眼科情報処理装置１００の各部を動作させるための各種のコンピュータプログラムやデータが記憶されていてよい。
【００８５】
操作装置１８０は、「操作部」の一例である。表示装置１９０は、「表示手段」の一例である。地図状萎縮領域は、「病変領域」の一例である。
【００８６】
［動作例］
いくつかの実施形態に係る眼科情報処理装置１００の動作例について説明する。
【００８７】
図５に、実施形態に係る眼科情報処理装置１００の動作の一例を示す。図５は、眼科情報処理装置１００の動作例のフロー図を表す。図５では、眼科情報処理装置１００（記憶部１１２）において、眼科装置１０により取得された被検眼の３次元のＯＣＴデータが既に保存されているものとする。
【００８８】
（Ｓ１：被検者を選択）
ユーザが操作装置１８０を用いて被検者ＩＤを入力することにより、被検者を選択する。
【００８９】
（Ｓ２：検査データを表示）
記憶部１１２には、被検者ＩＤに対応して被検者の検査データがあらかじめ関連付けられたデータベースが記憶されている。制御部１１０は、ステップＳ１において入力された被検者ＩＤを検索キーとしてデータベースを検索し、当該被検者ＩＤに対応した検査データを取得する。表示制御部１１１Ａは、データベースを検索することにより得られた当該被検者ＩＤに対応した検査データを表示装置１９０に表示させる。検査データには、過去の検査において取得された１以上の被検眼画像が含まれる。
【００９０】
（Ｓ３：被検眼画像を選択）
眼科情報処理装置１００は、ステップＳ２において表示装置１９０に表示された被検者の検査データ中の１以上の被検眼画像から解析対象の被検眼画像を選択させる。被検者は、操作装置１８０に対して操作を行うことにより、解析対象の被検眼画像を選択する。制御部１１０は、ユーザによる操作装置１８０に対する操作内容に対応した操作指示信号の入力を受け付ける。
【００９１】
（Ｓ４：表示）
表示制御部１１１Ａは、ステップＳ３において入力された操作指示信号に基づいて指定された被検眼画像を選択し、選択された被検眼画像を表示装置１９０に表示させる。
【００９２】
（Ｓ５：領域解析実行？）
次に、制御部１１０は、ステップＳ４において表示された被検眼画像に対して地図状萎縮領域の解析を実行するか否かを判定する。制御部１１０は、操作装置１８０に対する解析実行を指示する操作内容に対応した操作指示信号に基づいて地図状萎縮領域の解析を実行するか否かを判定することが可能である。
【００９３】
地図状萎縮領域の解析を実行すると判定されたとき（Ｓ５：Ｙ）、眼科情報処理装置１００の動作はステップＳ６に移行する。地図状萎縮領域の解析を実行しないと判定されたとき（Ｓ５：Ｎ）、眼科情報処理装置１００の動作はステップＳ９に移行する。
【００９４】
（Ｓ６：萎縮領域を特定）
ステップＳ５において地図状萎縮領域の解析を実行すると判定されたとき（Ｓ５：Ｙ）、制御部１１０は、解析部２００に地図状萎縮領域の解析を実行させることにより地図状萎縮領域を特定させる。ステップＳ６の詳細については後述する。制御部１１０は、眼底における地図状萎縮領域の位置や形状を特定するための領域特定情報を被検者又は被検眼に関連付けて記憶部１１２に保存する。
【００９５】
（Ｓ７：形態解析）
続いて、制御部１１０は、ステップＳ６において特定された地図状萎縮領域それぞれの面積及び外周囲長を形態情報生成部２０４に算出させる。形態情報生成部２０４は、地図状萎縮領域の面積の合計値と、外周囲長の合計値と、特定された地図状萎縮領域の個数とを含む形態情報を生成する。制御部１１０は、ステップＳ７において生成された形態情報を上記の領域特定情報と共に被検者又は被検眼に関連付けて記憶部１１２に保存する。
【００９６】
いくつかの実施形態に係る制御部１１０は、眼底における各層の層厚の２次元の分布情報を層厚分布情報生成部２０５に生成させる。制御部１１０は、ステップＳ７において生成された分布情報を上記の領域特定情報と共に被検者又は被検眼に関連付けて記憶部１１２に保存する。
【００９７】
（Ｓ８：表示）
次に、制御部１１０は、画像形成部１２０によって事前に形成された眼底の正面画像とステップＳ６において特定された地図状萎縮領域を表す画像との位置合わせを位置合わせ処理部２１０に行わせる。表示制御部１１１Ａは、当該地図状萎縮領域を表す画像を眼底の正面画像に重畳させて表示装置１９０に表示させる。ここで、眼底の正面画像は、ＲＰＥからブルッフ膜までの範囲のシャドウグラムであってよい。また、表示制御部１１１Ａは、ステップＳ７において生成された形態情報を当該形態情報に対応する地図状萎縮領域に関連付けて表示装置１９０に表示させる。
【００９８】
同様に、制御部１１０は、画像形成部１２０によって事前に形成された眼底の断層像とステップＳ６において特定された地図状萎縮領域を表す画像との位置合わせを位置合わせ処理部２１０に行わせる。表示制御部１１１Ａは、当該地図状萎縮領域を表す画像を眼底の断層像に重畳させて表示装置１９０に表示させる。また、表示制御部１１１Ａは、ステップＳ７において生成された形態情報を当該形態情報に対応する地図状萎縮領域に関連付けて表示装置１９０に表示させる。
【００９９】
（Ｓ９：領域を編集？）
次に、制御部１１０は、ステップＳ６において特定された地図上萎縮領域を編集するか否かを判定する。制御部１１０は、操作装置１８０に対する領域編集を指示する操作内容に対応した操作指示信号に基づいて地図状萎縮領域を変更するか否かを判定することが可能である。
【０１００】
地図状萎縮領域を変更すると判定されたとき（Ｓ９：Ｙ）、眼科情報処理装置１００の動作はステップＳ１０に移行する。地図状萎縮領域を変更しないと判定されたとき（Ｓ９：Ｎ）、眼科情報処理装置１００の動作は終了である（エンド）。
【０１０１】
（Ｓ１０：萎縮領域を編集）
ステップＳ９において地図状萎縮領域を変更すると判定されたとき（Ｓ９：Ｙ）、制御部１１０は、ユーザによる操作装置１８０に対する操作内容に対応した操作指示信号に基づいて地図状萎縮領域の変更処理を領域編集部２２０に実行させる。
【０１０２】
例えば、図６に示すように、操作装置１８０を用いて眼底の正面画像に対して所望の領域を指定（ＯＰ１）することにより、領域編集部２２０は、新たな地図状萎縮領域Ｒ１を追加する。
【０１０３】
例えば、図７に示すように、操作装置１８０を用いて眼底の正面画像に対して所望の領域を指定（ＯＰ２）することにより、領域編集部２２０は、解析部２００により特定された１以上の地図状萎縮領域から地図状萎縮領域Ｒ２を削除する。
【０１０４】
制御部１１０は、変更処理により得られた変更領域の位置や形状を特定するための領域特定情報を被検者又は被検眼に関連付けて記憶部１１２に保存する。
【０１０５】
（Ｓ１１：領域再解析を実行？）
続いて、制御部１１０は、ステップＳ１０において特定された変更領域の再解析を実行するか否かを判定する。制御部１１０は、操作装置１８０に対する再解析実行を指示する操作内容に対応した操作指示信号に基づいて変更領域の再解析を実行するか否かを判定することが可能である。
【０１０６】
変更領域の再解析を実行すると判定されたとき（Ｓ１１：Ｙ）、眼科情報処理装置１００の動作はステップＳ１２に移行する。変更領域の再解析を実行しないと判定されたとき（Ｓ１１：Ｎ）、眼科情報処理装置１００の動作は終了である（エンド）。
【０１０７】
（Ｓ１２：形態解析）
ステップＳ１１において変更領域の再解析を実行すると判定されたとき（Ｓ１１：Ｙ）、制御部１１０は、ステップＳ１０において特定された変更領域それぞれの面積及び外周囲長を形態情報生成部２０４に算出させる。形態情報生成部２０４は、ステップＳ７と同様に形態情報を生成する。制御部１１０は、ステップＳ１２において生成された形態情報を上記の領域特定情報と共に被検者又は被検眼に関連付けて記憶部１１２に保存する。
【０１０８】
（Ｓ１３：表示）
次に、制御部１１０は、画像形成部１２０によって事前に形成された眼底の正面画像とステップＳ１０において特定された変更領域を表す画像との位置合わせを位置合わせ処理部２１０に行わせる。表示制御部１１１Ａは、当該変更領域を表す画像を眼底の正面画像に重畳させて表示装置１９０に表示させる。ここで、眼底の正面画像は、ＲＰＥからブルッフ膜までの範囲のシャドウグラムであってよい。また、表示制御部１１１Ａは、ステップＳ１２において生成された形態情報を当該形態情報に対応する変更領域に関連付けて表示装置１９０に表示させる。
【０１０９】
同様に、制御部１１０は、画像形成部１２０によって事前に形成された眼底の断層像とステップＳ１０において特定された変更領域を表す画像との位置合わせを位置合わせ処理部２１０に行わせる。表示制御部１１１Ａは、当該変更領域を表す画像を眼底の断層像に重畳させて表示装置１９０に表示させる。また、表示制御部１１１Ａは、ステップＳ１２において生成された形態情報を当該形態情報に対応する変更領域に関連付けて表示装置１９０に表示させる。以上で、眼科情報処理装置１００の動作は終了である（エンド）。
【０１１０】
次に、図８〜図１４を参照しつつ図５のステップＳ６の動作例について説明する。
【０１１１】
図８に、図５のステップＳ６の動作例のフロー図を示す。図９は、ステップＳ２２の動作説明図を表す。図１０は、ステップＳ２３の動作説明図を表す。図１１Ａは、ステップＳ２４の動作説明図を表す。図１１Ｂは、ステップＳ２５の動作説明図を表す。図１２は、ステップＳ２６の動作説明図を表す。図１３及び図１４は、ステップＳ２７の動作説明図を表す。
【０１１２】
（Ｓ２１：Ｂスキャン画像を取得）
上記のようにステップＳ５において地図状萎縮領域の解析を実行すると判定されたとき（Ｓ５：Ｙ）、制御部１１０は、記憶部１１２に保存されている被検眼の眼底のデータを読み出し、読み出されたデータに基づいてＢスキャン画像を画像形成部１２０に形成させる。いくつかの実施形態において、ステップＳ２１では、眼科装置１０からＢスキャン画像が取得される。
【０１１３】
（Ｓ２２：セグメンテーション処理）
制御部１１０は、ステップＳ２１において取得されたＢスキャン画像に対するセグメンテーション処理をセグメンテーション処理部２０１に実行させる。セグメンテーション処理部２０１は、ステップＳ２１において取得されたＢスキャン画像に対してＡスキャン方向の複数の層領域を特定する。セグメンテーション処理部２０１は、図９に示すように、Ｂスキャン画像ＩＭＧ１において、網膜を構成する、内境界膜３００、神経繊維層、神経節細胞層、内網状層、内顆粒層、外網状層、外顆粒層、外境界膜、視細胞層、ＲＰＥ３０１を特定する。また、セグメンテーション処理部２０１は、特定されたＲＰＥ３０１に対して強膜側の所定のピクセル数分の層組織をブルッフ膜３０２として特定する。
【０１１４】
（Ｓ２３：コントラストマップを作成）
続いて、制御部１１０は、ステップＳ２２におけるセグメンテーション処理の結果を用いてコントラストマップをデータ処理部１３０に作成させる。すなわち、領域特定部２０２は、セグメンテーション処理部２０１により特定された複数の層組織の部分データセットを解析することにより、ブルッフ膜３０２に相当する領域より強膜側の層組織に対応する第１領域と、内境界膜３００に相当する領域からＲＰＥ３０１に相当する領域までの層組織に対応する第２領域とを特定する。
【０１１５】
分布情報生成部２０３は、各Ａスキャンについて、第１領域のＡスキャン方向の画素値の積算値に対する第２領域のＡスキャン方向の画素値の積算値の比をコントラスト比として求め、求められたコントラスト比の２次元の分布情報をコントラストマップとして生成する（図１０）。
【０１１６】
（Ｓ２４：スムージング処理）
次に、制御部１１０は、ステップＳ２３において生成されたコントラストマップに対してスムージング処理をデータ処理部１３０に実行させる。隣接する画素同士の画素値の変化が一般的に小さい傾向があり、画素値に重畳されるノイズ成分も同様であることに着目し、スムージング処理によりノイズ成分が除去されたコントラストマップが得られる（図１１Ａ）。
【０１１７】
（Ｓ２５：２値化処理）
続いて、制御部１１０は、ステップＳ２４におけるスムージング処理後コントラストマップに対して２値化処理をデータ処理部１３０に実行させる。それにより、図１１Ｂに示すような２値化マップが得られる。
【０１１８】
（Ｓ２６：領域を探索）
制御部１１０は、ステップＳ２５において得られた２値化マップに対して公知の領域拡張法を適用することにより領域を解析部２００に探索させる（図１２）。
【０１１９】
（Ｓ２７：輪郭を抽出）
制御部１１０は、ステップＳ２６における探索により得られた領域に対して公知の輪郭抽出処理を施すことにより、領域の輪郭を解析部２００に抽出させる（図１３）。解析部２００は、抽出された輪郭に基づいて地図状萎縮領域を特定する（図１４）。以上で、図５のステップＳ６の処理は終了である（エンド）。
【０１２０】
図１５に、いくつかの実施形態において表示装置１９０に表示される解析情報の一例を示す。
【０１２１】
例えば、ステップＳ８又はステップＳ１３では、表示制御部１１１Ａは、地図状萎縮領域を表す画像ＩＭＧＸをシャドウグラム（眼底の正面画像）ＩＭＧ２に重畳させて表示装置１９０に表示させる。
【０１２２】
また、表示制御部１１１Ａは、地図状萎縮領域の面積の合計値、外周囲長の合計値、地図状萎縮領域の数を含む形態情報３５０を表示装置１９０に表示させることができる。いくつかの実施形態に係る表示制御部１１１Ａは、各地図状萎縮領域の形態情報を対応する地図状萎縮領域に関連付けて表示装置１９０に表示させる。それにより、各地図状萎縮領域の形態を詳細に観察することができるようになる。
【０１２３】
図１６に、いくつかの実施形態において表示装置１９０に表示される解析情報の他の例を示す。
【０１２４】
例えば、ステップＳ８又はステップＳ１３では、表示制御部１１１Ａは、地図状萎縮領域を表す画像ＩＭＧＹ（Ｂスキャン断面の画像）を眼底のＢスキャン画像ＩＭＧ３に重畳させて表示装置１９０に表示させる。それにより、Ｂスキャン画像において地図状萎縮領域の形態を詳細に観察することができるようになる。
【０１２５】
＜変形例＞
いくつかの実施形態に係る構成は、上記の構成に限定されるものではない。
【０１２６】
〔第１変形例〕
萎縮型加齢黄斑変性の診断には、黄斑部（中心窩）に対する地図状萎縮の相対位置が有効である。いくつかの実施形態の変形例に係る眼科情報処理装置は、眼科装置により取得された被検眼の眼底のデータを解析することにより眼底における黄斑部（中心窩）に対する地図状萎縮領域の位置又は距離を表す位置情報を生成する。
【０１２７】
以下、いくつかの実施形態の変形例に係る眼科情報処理装置について、上記の実施形態に係る眼科情報処理装置との相違点を中心に説明する。本変形例に係る眼科情報処理装置の構成が上記の眼科情報処理装置１００の構成と異なる点は、解析部である。
【０１２８】
図１７に、実施形態の変形例に係る解析部２００ａの構成例のブロック図を示す。図１７において、図４と同様の部分には同一符号を付し、適宜説明を省略する。
【０１２９】
本変形例において、図３に示すデータ処理部１３０における解析部２００に代えて、図１７に示す変形例に係る解析部２００ａが設けられる。解析部２００ａが解析部２００と異なる点は、解析部２００に対して位置情報生成部２０６ａが追加されている点である。
【０１３０】
解析部２００ａは、被検眼の３次元のＯＣＴデータを公知の手法により解析することにより中心窩に相当する領域を特定し、中心窩を中心とする所定の半径の領域を黄斑部として特定する。
【０１３１】
位置情報生成部２０６ａは、解析部２００ａにより特定された黄斑部の代表位置に対する地図状萎縮領域の代表位置の相対位置、双方の代表位置の距離を表す位置情報、所定期間における地図状萎縮領域の代表位置の移動方向や移動距離を示すベクトル情報、又は所定期間における黄斑部の代表位置に対する地図状萎縮領域の代表位置の移動方向や移動距離を示すベクトル情報を表す位置情報を生成する。黄斑部の代表位置の例として、中心窩の位置、黄斑部の重心位置、黄斑部の輪郭部において地図状萎縮領域に最も近い（或いは最も遠い）位置などがある。地図状萎縮領域の代表位置の例として、地図状萎縮領域の中心位置、重心位置、地図状萎縮領域の輪郭部において黄斑部（又は中心窩）に最も近い（或いは最も遠い）位置などがある。いくつかの実施形態の変形例に係る表示制御部１１１Ａは、位置情報生成部２０６ａにより生成された位置情報を対応する地図状萎縮領域に関連付けて表示装置１９０に表示させる。
【０１３２】
図１８に、実施形態の変形例において表示装置１９０に表示される解析情報の一例を示す。
【０１３３】
例えば、表示制御部１１１Ａは、地図状萎縮領域を表す画像ＩＭＧＸと解析部２００ａにより特定された黄斑部の位置（範囲）を表す画像ＩＭＧＺとをシャドウグラム（眼底の正面画像）ＩＭＧ２に重畳させて表示装置１９０に表示させる。画像ＩＭＧＺは、中心窩の位置を表す画像であってよい。
【０１３４】
また、表示制御部１１１Ａは、地図状萎縮領域の面積の合計値、外周囲長の合計値、地図状萎縮領域の数を含む形態情報に加えて、黄斑部に対する地図状萎縮領域の相対位置を表す位置情報を表示装置１９０に表示させることができる。いくつかの実施形態に係る表示制御部１１１Ａは、各地図状萎縮領域の位置情報を対応する地図状萎縮領域に関連付けて表示装置１９０に表示させる。それにより、各地図状萎縮領域の位置を詳細に観察することができるようになる。
【０１３５】
図１９に、実施形態の変形例において表示装置１９０に表示される解析情報の他の例を示す。
【０１３６】
例えば、表示制御部１１１Ａは、地図状萎縮領域を表す画像ＩＭＧＹ（Ｂスキャン断面の画像）と解析部２００ａにより特定された黄斑部の位置（範囲）を表す画像ＩＭＧＺ１を眼底のＢスキャン画像ＩＭＧ３に重畳させて表示装置１９０に表示させる。それにより、Ｂスキャン画像において黄斑部に対する地図状萎縮領域の位置を詳細に観察することができるようになる。
【０１３７】
〔第２変形例〕
いくつかの実施形態では、領域編集部２２０により特定された変更領域を新たに解析することにより新たな地図状萎縮領域を特定し、特定された地図状萎縮領域の形態情報や位置情報などを求める。
【０１３８】
以下、いくつかの実施形態の変形例に係る眼科情報処理装置について、上記の実施形態に係る眼科情報処理装置との相違点を中心に説明する。本変形例に係る眼科情報処理装置が上記の眼科情報処理装置１００と異なる点は、制御部１１０及びデータ処理部１３０により実行される動作内容である。
【０１３９】
図２０に、実施形態の変形例に係る眼科情報処理装置の動作の一例を示す。図２０は、本変形例に係る眼科情報処理装置の動作例のフロー図を示す。図２０において、図５と同様の部分には同一符号を付し、適宜説明を省略する。
【０１４０】
本変形例において、ステップＳ１〜ステップＳ１１は図５と同様である。
【０１４１】
（Ｓ３１：解析条件を変更）
ステップＳ１１において変更領域の再解析を実行すると判定されたとき（Ｓ１１：Ｙ）、制御部１１０は、ステップＳ６の地図状萎縮領域の特定処理で用いられた第１解析条件と異なる第２解析条件を設定する。いくつかの実施形態では、第２解析条件は、第１解析条件では特定されなかった地図状萎縮領域を新たに特定するための解析条件（第１解析条件より地図状萎縮領域の検出感度（特定感度）が高い解析条件）である。
【０１４２】
（Ｓ３２：萎縮領域を特定）
次に、制御部１１０は、解析部２００に変更領域の解析を実行させることにより新たな地図状萎縮領域を特定させる。ステップＳ３２は、ステップＳ６と同様である。制御部１１０は、眼底における新たな地図状萎縮領域の位置や形状を特定するための領域特定情報を被検者又は被検眼に関連付けて記憶部１１２に保存する。
【０１４３】
（Ｓ３３：形態解析）
続いて、制御部１１０は、ステップＳ３２において特定された新たな地図状萎縮領域それぞれの面積及び外周囲長を形態情報生成部２０４に算出させる。形態情報生成部２０４は、ステップＳ７と同様に形態情報を生成する。制御部１１０は、ステップＳ３３において生成された形態情報を上記の領域特定情報と共に被検者又は被検眼に関連付けて記憶部１１２に保存する。
【０１４４】
（Ｓ３４：表示）
次に、制御部１１０は、画像形成部１２０によって事前に形成された眼底の正面画像とステップＳ３２において新たに特定された地図状萎縮領域を表す画像との位置合わせを位置合わせ処理部２１０に行わせる。表示制御部１１１Ａは、当該地図状萎縮領域を表す画像を眼底の正面画像に重畳させて表示装置１９０に表示させる。ここで、眼底の正面画像は、ＲＰＥからブルッフ膜までの範囲のシャドウグラムであってよい。また、表示制御部１１１Ａは、ステップＳ３３において生成された形態情報を当該形態情報に対応する地図状萎縮領域に関連付けて表示装置１９０に表示させる。
【０１４５】
同様に、制御部１１０は、画像形成部１２０によって事前に形成された眼底の断層像とステップＳ３２において新たに特定された地図状萎縮領域を表す画像との位置合わせを位置合わせ処理部２１０に行わせる。表示制御部１１１Ａは、当該地図状萎縮領域を表す画像を眼底の断層像に重畳させて表示装置１９０に表示させる。また、表示制御部１１１Ａは、ステップＳ３３において生成された形態情報を当該形態情報に対応する地図状萎縮領域に関連付けて表示装置１９０に表示させる。以上で、眼科情報処理装置１００の動作は終了である（エンド）。
【０１４６】
〔第３変形例〕
いくつかの実施形態に係る眼科装置は、眼科装置１０の機能に加えて、眼科情報処理装置１００の機能、操作装置１８０の機能、及び表示装置１９０の機能の少なくとも１つを備える。
【０１４７】
以下、いくつかの実施形態の変形例に係る眼科装置について、上記の実施形態に係る眼科装置との相違点を中心に説明する。
【０１４８】
図２１に、実施形態の変形例に係る眼科装置１０ｂの構成例のブロック図を示す。図２１において、図２と同様の部分には同一符号を付し、適宜説明を省略する。
【０１４９】
本変形例に係る眼科装置１０ｂの構成が上記の実施形態に係る眼科装置１０の構成と異なる点は、眼科装置１０ｂが、眼科情報処理装置１００の機能と、操作装置１８０の機能と、表示装置１９０の機能とを備えている点である。眼科装置１０ｂは、制御部１１ｂと、データ収集部１２と、画像形成部１３と、眼科情報処理部１５ｂと、操作部１６ｂと、表示部１７ｂとを含む。
【０１５０】
制御部１１ｂは、眼科装置１０ｂの各部を制御する。特に、制御部１１ｂは、データ収集部１２と、画像形成部１３と、眼科情報処理部１５ｂと、操作部１６ｂと、表示部１７ｂとを制御する。
【０１５１】
眼科情報処理部１５ｂは、眼科情報処理装置１００と同様の構成を有し、眼科情報処理装置１００と同様の機能を備えている。操作部１６ｂは、操作装置１８０と同様の構成を有し、操作装置１８０と同様の機能を備えている。表示部１７ｂは、表示装置１９０と同様の構成を有し、表示装置１９０と同様の機能を備えている。
【０１５２】
本変形例によれば、コンパクトな構成で、地図状萎縮領域の形態や分布を詳細に観察することが可能な眼科装置を提供することができる。
【０１５３】
＜効果＞
以下、いくつかの実施形態に係る眼科情報処理装置、眼科システム、眼科情報処理方法、及びプログラムの効果について説明する。
【０１５４】
いくつかの実施形態に係る眼科情報処理装置（１００）は、解析部（２００、２００ａ）と、記憶部（１１２）と、領域編集部（２２０）と、表示制御部（１１１Ａ）とを含む。解析部は、被検眼に光を投射することにより光学的に収集された被検眼のデータを解析して被検眼における病変領域（地図状萎縮領域）を特定する。記憶部は、被検眼の画像データを記憶する。領域編集部は、操作部（操作装置１８０）に対する操作内容に対応した操作情報に基づいて病変領域を変更することにより変更領域を特定する。表示制御部は、記憶部に記憶された画像データに基づいて被検眼の画像を表示手段に表示させ、且つ被検眼の画像における変更領域に対応する領域を識別可能に表示させる。
【０１５５】
このような構成によれば、光学的に収集された被検眼のデータを解析して特定された病変領域を変更することにより変更領域を特定し、被検眼の眼底画像を表示手段に表示させると共に、眼底画像における変更領域を識別可能に表示させるようにしたので、病変領域の検出精度が十分ではない場合であっても変更領域の形態や分布を詳細に把握することができる。それにより、医師等が患者に対して適確な診断を行うことができるようになる。
【０１５６】
いくつかの実施形態に係る眼科情報処理装置では、領域編集部は、操作情報に基づいて病変領域の形状を変更することにより変更領域を特定する。
【０１５７】
このような構成によれば、医師等は、他の眼科装置から得られた情報を参考にしつつ、特定された病変領域の形状を変更し、得られた変更領域から病変領域の形態や分布を詳細に観察することができるようになる。
【０１５８】
いくつかの実施形態に係る眼科情報処理装置では、領域編集部は、病変領域に対し操作情報に基づいて指定された領域を追加することにより変更領域を特定する。
【０１５９】
このような構成によれば、医師等は、他の眼科装置から得られた情報を参考にしつつ、特定された病変領域に対して新たに病変領域を追加し、得られた変更領域から病変領域の形態や分布を詳細に観察することができるようになる。
【０１６０】
いくつかの実施形態に係る眼科情報処理装置では、領域編集部は、病変領域に対し操作情報に基づいて指定された領域を削除することにより変更領域を特定する。
【０１６１】
このような構成によれば、医師等は、他の眼科装置から得られた情報を参考にしつつ、特定された病変領域の少なくとも一部を削除し、得られた変更領域から病変領域の形態や分布を詳細に観察することができるようになる。
【０１６２】
いくつかの実施形態に係る眼科情報処理装置では、解析部は、領域編集部により変更された変更領域に対し、解析条件が変更された再解析を行うことにより被検眼における病変領域を新たに特定する。表示制御部は、解析部による再解析により新たに特定された病変領域に対応する領域を識別可能に表示手段に表示させる。
【０１６３】
このような構成によれば、所望する領域に対して病変領域を新たに特定させ、特定された新たな病変領域の形態や分布を詳細に把握することが可能な眼科情報処理装置を提供することができるようになる。
【０１６４】
いくつかの実施形態に係る眼科情報処理装置では、解析部は、第１解析条件下で病変領域を特定し、且つ第１解析条件と異なる第２解析条件下で変更領域を解析することにより新たな病変領域を特定する。
【０１６５】
このような構成によれば、所望の領域だけ病変領域の特定処理を繰り返すことにより、病変領域を新たに特定し、新たに特定された病変領域の形態や分布を詳細に観察することができるようになる。
【０１６６】
いくつかの実施形態に係る眼科情報処理装置では、被検眼のデータは、被検眼の眼底のデータである。解析部は、セグメンテーション処理部（２０１）と、分布情報生成部（２０３）とを含む。セグメンテーション処理部は、上記の被検眼のデータに基づいてＡスキャン方向の複数の層領域を特定する。分布情報生成部は、セグメンテーション処理部により特定されたブルッフ膜より強膜側の層領域のＡスキャン方向の画素値の積算値と、ブルッフ膜より角膜側の層領域のＡスキャン方向の画素値の積算値との比の分布情報（コントラストマップ）を生成する。解析部は、分布情報に基づいて病変領域を特定する。
【０１６７】
このような構成によれば、光コヒーレンストモグラフィを用いて取得されたデータから病変領域を特定し、特定された病変領域を変更して得られる変更領域を識別可能に表示させるようにしたので、被検者の負担を軽減しつつ、病変領域の形態や分布を詳細に観察することが可能になる。
【０１６８】
いくつかの実施形態に係る眼科情報処理装置は、位置合わせ処理部（２１０）を含む。位置合わせ処理部は、被検眼の眼底画像と分布情報に基づいて特定された変更領域を表す画像との位置合わせを行う。表示制御部は、位置合わせ処理部により位置合わせが行われた変更領域を表す画像を眼底画像にオーバーレイ表示させる。
【０１６９】
このような構成によれば、特定された病変領域を変更することにより得られる変更領域を表す画像を眼底画像にオーバーレイ表示させるようにしたので、眼底における病変領域の形態や分布を把握しやすくなる。
【０１７０】
いくつかの実施形態に係る眼科システムは、光コヒーレンストモグラフィを用いて前記被検眼をスキャンすることによりデータを収集するデータ収集部（１２）と、表示手段と、上記のいずれかに記載の眼科情報処理装置と、を含む。
【０１７１】
このような構成によれば、被検眼のデータを解析して特定された病変領域を変更することにより変更領域を特定し、眼底画像における変更領域を識別可能に表示させるようにしたので、病変領域の検出精度が十分ではない場合であっても変更領域の形態や分布を詳細に把握して、医師等が患者に対して適確な診断を行うことが可能な眼科システムを提供することができるようになる。
【０１７２】
いくつかの実施形態に係る眼科情報処理方法は、解析ステップと、領域編集ステップと、表示ステップとを含む。解析ステップは、被検眼に光を投射することにより光学的に収集された被検眼のデータを解析して被検眼における病変領域（地図状萎縮領域）を特定する。領域編集ステップは、操作部（操作装置１８０）に対する操作内容に対応した操作情報に基づいて病変領域を変更することにより変更領域を特定する。表示ステップは、被検眼の画像データに基づいて被検眼の画像を表示手段（表示装置１９０）に表示させ、且つ被検眼の画像における変更領域に対応する領域を識別可能に表示させる。
【０１７３】
このような構成によれば、光学的に収集された被検眼のデータを解析して特定された病変領域を変更することにより変更領域を特定し、被検眼の眼底画像を表示手段に表示させると共に、眼底画像における変更領域を識別可能に表示させるようにしたので、病変領域の検出精度が十分ではない場合であっても変更領域の形態や分布を詳細に把握することができる。それにより、医師等が患者に対して適確な診断を行うことができるようになる。
【０１７４】
いくつかの実施形態に係る眼科情報処理方法では、領域編集ステップは、操作情報に基づいて病変領域の形状を変更することにより変更領域を特定する。
【０１７５】
このような構成によれば、医師等は、他の眼科装置から得られた情報を参考にしつつ、特定された病変領域の形状を変更し、得られた変更領域から病変領域の形態や分布を詳細に観察することができるようになる。
【０１７６】
いくつかの実施形態に係る眼科情報処理方法では、領域編集ステップは、病変領域に対し操作情報に基づいて指定された領域を追加することにより変更領域を特定する。
【０１７７】
このような構成によれば、医師等は、他の眼科装置から得られた情報を参考にしつつ、特定された病変領域に対して新たに病変領域を追加し、得られた変更領域から病変領域の形態や分布を詳細に観察することができるようになる。
【０１７８】
いくつかの実施形態に係る眼科情報処理方法では、領域編集ステップは、病変領域に対し操作情報に基づいて指定された領域を削除することにより変更領域を特定する。
【０１７９】
このような構成によれば、医師等は、他の眼科装置から得られた情報を参考にしつつ、特定された病変領域の少なくとも一部を削除し、得られた変更領域から病変領域の形態や分布を詳細に観察することができるようになる。
【０１８０】
いくつかの実施形態に係る眼科情報処理方法では、解析ステップは、領域編集ステップにおいて変更された変更領域に対し、解析条件が変更された再解析を行うことにより被検眼における病変領域を新たに特定する。表示ステップは、解析ステップにおける再解析により新たに特定された病変領域に対応する領域を識別可能に表示手段に表示させる。
【０１８１】
このような構成によれば、所望する領域に対して病変領域を新たに特定させ、特定された新たな病変領域の形態や分布を詳細に把握することができるようになる。
【０１８２】
いくつかの実施形態に係るプログラムは、コンピュータに、上記のいずれかに記載の眼科情報処理方法の各ステップを実行させる。
【０１８３】
このような構成によれば、被検眼のデータを解析して特定された病変領域を変更することにより変更領域を特定し、眼底画像における変更領域を識別可能に表示させるようにしたので、病変領域の検出精度が十分ではない場合であっても変更領域の形態や分布を詳細に把握するためのプログラムを提供することができるようになる。
【０１８４】
いくつかの実施形態に係る眼科情報処理方法を実現するためのプログラムを、コンピュータによって読み取り可能な任意の記録媒体に記憶させることができる。記録媒体は、磁気、光、光磁気、半導体などを利用した電子媒体であってよい。典型的には、記録媒体は、磁気テープ、磁気ディスク、光ディスク、光磁気ディスク、フラッシュメモリ、ソリッドステートドライブなどである。
【０１８５】
また、インターネットやＬＡＮ等のネットワークを通じてコンピュータプログラムを送受信することも可能である。
【０１８６】
以上に説明した態様は、この発明を実施するための例に過ぎない。この発明を実施しようとする者は、この発明の要旨の範囲内における任意の変形（省略、置換、付加等）を施すことが可能である。
【符号の説明】
【０１８７】
１  眼科システム
１０、１０ｂ  眼科装置
１１、１１ｂ、１１０  制御部
１２  データ収集部
１２Ａ  干渉光学系
１２Ｂ  スキャン光学系
１３、１２０  画像形成部
１４、１４０  通信部
１５ｂ  眼科情報処理部
１６ｂ  操作部
１７ｂ  表示部
１００  眼科情報処理装置
１１１  主制御部
１１１Ａ  表示制御部
１１２  記憶部
１３０  データ処理部
１８０  操作装置
１９０  表示装置
２００、２００ａ  解析部
２０１  セグメンテーション処理部
２０２  領域特定部
２０３  分布情報生成部
２０４  形態情報生成部
２０５  層厚分布情報生成部
２０６ａ  位置情報生成部
２１０  位置合わせ処理部
２２０  領域編集部
【図１】
2019092921.tif 000003
【図２】
2019092921.tif 000004
【図３】
2019092921.tif 000005
【図４】
2019092921.tif 000006
【図５】
2019092921.tif 000007
【図６】
2019092921.tif 000008
【図７】
2019092921.tif 000009
【図８】
2019092921.tif 000010
【図９】
2019092921.tif 000011
【図１０】
2019092921.tif 000012
【図１１Ａ】
2019092921.tif 000013
【図１１Ｂ】
2019092921.tif 000014
【図１２】
2019092921.tif 000015
【図１３】
2019092921.tif 000016
【図１４】
2019092921.tif 000017
【図１５】
2019092921.tif 000018
【図１６】
2019092921.tif 000019
【図１７】
2019092921.tif 000020
【図１８】
2019092921.tif 000021
【図１９】
2019092921.tif 000022
【図２０】
2019092921.tif 000023
【図２１】
2019092921.tif 000024